(57)【特許請求の範囲】
【請求項１】
磁性材料からなり、コイル装置に用いられる磁芯であって、
一端が直角に屈曲した曲部により連続する直線状の第１直線部と第２直線部と、
該第１直線部と第２直線部の他端どうしを連繋する円弧状の円弧部と、
を具え、
前記曲部は、内周面と外周面が同心円弧状であり、
前記曲部、第１直線部、第２直線部及び円弧部は、電気絶縁性の樹脂により被覆され、前記第２直線部の内周面を被覆する樹脂の厚さは、前記曲部の内周面の曲率半径と略同一であって、
前記第１直線部は、磁路に直交する方向に切断された隙間部を有し、該隙間部の前記曲部側の第１端面は、前記第２直線部の樹脂被覆された内面と段差がない、
涙滴状磁芯。
【請求項２】
前記第１直線部の隙間部は、前記第１端面と対向し、略同一面積である第２端面を具える請求項１に記載の涙滴状磁芯。
【請求項３】
前記隙間部には、磁性材料からなるギャップ用磁芯が挿入される請求項１又は請求項２に記載の涙滴状磁芯。
【請求項４】
前記ギャップ用磁芯と、前記隙間部の第１端面及び第２端面との間には、ギャップが形成される請求項３に記載の涙滴状磁芯。
【請求項５】
前記ギャップ用磁芯は、積層磁芯、圧粉磁芯又は焼結磁芯である請求項３又は請求項４に記載の涙滴状磁芯。
【請求項６】
前記第１直線部、曲部、第２直線部及び円弧部は、積層磁芯、圧粉磁芯又は焼結磁芯である請求項１乃至請求項５の何れかに記載の涙滴状磁芯。
【請求項７】
請求項１乃至請求項６の何れかに記載の涙滴状磁芯に、巻線を施してなるコイル装置。
【請求項８】
請求項１乃至請求項６の何れかに記載の涙滴状磁芯に、前記隙間部から予め巻線したコイルを挿入して構成されるコイル装置。
【発明の詳細な説明】
【技術分野】
【０００１】
本発明は、電源回路やインバータなどの交流機器における整流回路、雑音防止回路、共振回路等に装備されるコイル装置に用いられる磁芯に関するものである。
【背景技術】
【０００２】
各種交流機器の回路に搭載されるコイル装置は、環状の磁芯にコイルを巻装して構成される。
巻線を容易に行なうために、円環状のトロイダル磁芯の一部を磁路方向に幅を持たせて切断した隙間部を形成し、該隙間部から導線を通しつつ巻き付けたコイル装置が提案されている(例えば特許文献１の従来の技術の図１０参照)。
【０００３】
上記コイル装置においては、導線は１ターンずつ手作業により巻き付ける必要があり、製造効率に劣る。
【０００４】
そこで、棒状の磁芯を図１４(ａ)に示すように、直線部(71)を具えた略円形となるように屈曲し、一方の端面(72)が直線部(71)の側面(73)と向かい合うように隙間部(74)を形成したコイル装置(70)も提案されている(例えば特許文献１及び特許文献２参照)。
【先行技術文献】
【特許文献】
【０００５】
【特許文献１】特許第４６０３７２８号公報
【特許文献２】特許第４７４５５４３号公報
【発明の概要】
【発明が解決しようとする課題】
【０００６】
しかしながら、上記コイル装置(70)においては、隙間部(74)を形成する端面(72)は、該端面(72)よりも面積の大きい直線部(71)の側面(73)と対向する。従って、図１４(ｂ)に示すように、端面(72)と側面(73)との間で磁束(図中矢印で示す)が漏洩し、インダクタンス値の低下を招く。特に、漏れ磁束が導線(75)を回避すると、巻数の二乗に比例した所期のインダクタンスを発揮することはできない。また、漏れ磁束が導線(75)と鎖交することによって生じる渦電流によって、所謂銅損が増大し、また磁束が主磁路から逸脱することから、磁芯に不要の渦電流損が生じることから発熱の原因となる。
【０００７】
さらに、上記特許文献２では、段落[００３３]において、前記隙間(74)に磁性又は非磁性によるギャップ材を埋め戻すことで、インダクタンス値を高くしたり、漏れ磁束を抑えたり、磁歪による磁芯の振動を抑えることが開示されている。
【０００８】
ところが、現実的には、せいぜい非磁性のギャップ材を隙間部に接着固定して、磁歪による磁芯の振動を抑制したり、磁気引き付け現象による振動音低減などに留まっているのが実態であり、特に磁性を有するギャップ材による埋め戻しは、磁気特性や磁性材料の工法及び加工精度、表面粗度のばらつき管理などが必要となり、これらに伴って製造コストの上昇や製造効率の低下を避けることは難しいため、一般的に実用化が困難である。
【０００９】
また、非磁性ギャップ材に代えて、磁性粉を接着剤と混合した磁性材を作製し、隙間部に塗布することでインダクタンス値を高くすると共に漏れ磁束を抑制する方法も知られている。しかしながら、磁性粉を混合した接着剤の粘度が作業限界のペースト状となるまで混合割合を増加させても、透磁率は２〜５程度の一桁台に留まる。このため、インダクタンスを向上したり漏れ磁束が低減するといった一定の効果はあるものの、その活用範囲は極低磁場に限られると共に、反って高磁場時の磁気飽和特性は悪化する欠点があることが直流重畳特性から判っている。
【００１０】
本発明の目的は、製造効率にすぐれ、初期のインダクタンスが大きく、安定した直流重畳特性を有する涙滴状磁芯及びこれを用いたコイル装置を提供することである。
【課題を解決するための手段】
【００１１】
本発明に係る涙滴状磁芯は、
磁性材料からなり、コイル装置に用いられる磁芯であって、
一端が直角に屈曲した曲部により連続する直線状の第１直線部と第２直線部と、
該第１直線部と第２直線部の他端どうしを連繋する円弧状の円弧部と、
を具える。
【００１２】
前記曲部は、外周面及び内周面が円弧状とすることができる。
【００１３】
前記第１直線部は、磁路に直交する方向に切断された隙間部を有し、該隙間部は、前記曲部側の第１端面と、該第１端面と対向し、略同一面積である第２端面を具えることができる。
【００１４】
前記隙間部には、磁性材料からなるギャップ用磁芯を挿入することができる。
【００１５】
前記ギャップ用磁芯と、前記隙間部の第１端面及び第２端面との間には、ギャップが形成されることが望ましい。
【００１６】
前記第１直線部、曲部、第２直線部及び円弧部は、前記隙間部の第１端面及び第２端面を除き、電気絶縁性の樹脂により被覆することができる。
【００１７】
また、本発明に係る涙滴状磁芯を用いたコイル装置は、上記涙滴状磁芯に、巻線を施してなる。
【００１８】
前記コイル装置は、涙滴状磁芯に、前記隙間部から予め巻線したコイルを挿入して構成することができる。
【発明の効果】
【００１９】
本発明に係る涙滴状磁芯は、第１直線部と第２直線部を有しているから、涙滴状磁芯の周面に樹脂被覆を行なう際、巻線を施す際、隙間部を形成する際などの作業時に、インサート成型機、巻線機、巻線用の治具、隙間部を形成するための切断機への取付け、位置決めを容易に行なうことができ、また、取付時や位置決め時、さらには作業時における涙滴状磁芯のずれを抑えて、効率よく巻線等の前記作業を行なうことができる。
【００２０】
また、本発明に係る涙滴状磁芯は、曲部を円弧状とすることで、磁路を全体に亘って略同一とすることができる。
【００２１】
本発明に係る涙滴状磁芯は、隙間部は、略同一面積である第１端面と第２端面が対向しているから、隙間部からの磁束の漏洩を抑えることができ、漏れ磁束に起因するインダクタンスの低下や渦電流損などを可及的に低減できる。また、隙間部は、涙滴状に形成された磁芯を切断することで形成することができ、棒状の磁芯を屈曲させて作製する場合に比して、寸法精度を可及的に高めることができる。
【００２２】
本発明に係る涙滴状磁芯は、前記隙間部に磁性材料からなるギャップ用磁芯を挿入することで、隙間部を埋めて所望の磁気特性を得ることができる。特に、前記ギャップ用磁芯と、前記隙間部の第１端面及び第２端面との間に、夫々ギャップを形成することで、ギャップ用磁芯が隙間部内で多少位置ずれしていても、インダクタンス値を維持したままで漏れ磁束の大きさを分散し、分布拡大を抑制することができる。
【００２３】
本発明に係る涙滴状磁芯は、隙間部を形成する前に、予め電気絶縁性の樹脂により被覆し、被覆の後、前記樹脂と共に第１直線部を切断することで、隙間部を形成することができ、これにより隙間部を形成する第１端面と第２端面が樹脂で被覆されることなく、第１直線部、曲部、第２直線部及び円弧部が樹脂被覆された涙滴状磁芯を得ることができる。
【００２４】
本発明に係る涙滴状磁芯は、前記第２直線部の内周面に被覆された表面が、前記隙間部の第１表面に連続することで、コイル装置を作製する際に、予め巻線したコイルを、曲部側から隙間部を通して第２直線部に挿入し、さらに押し込むことで円弧部、第１直線部に予め巻回したコイルに装着することができる。
【図面の簡単な説明】
【００２５】
【図１】図１は、本発明の涙滴状磁芯の一実施形態を示す斜視図である。
【図２】図２は、図１の涙滴状磁芯に直接コイルを巻回してなるコイル装置の平面図である。
【図３】図３は、隙間部を形成した本発明の涙滴状磁芯の一実施形態を示す斜視図である。
【図４】図４は、図３の涙滴状磁芯に予め巻回したコイルを挿入する工程を示す平面図である。
【図５】図５は、隙間部にギャップ用磁芯を挿入したコイル装置の部分断面図である。
【図６】図６は、図１に示した涙滴状磁芯を絶縁樹脂にて被覆した磁芯被覆体の斜視図である。
【図７】図７は、図６の線７−７に沿う断面図である。
【図８】図８は、図６の磁芯被覆体に直接コイルを巻回してなるコイル装置の平面図である。
【図９】図９は、隙間部を形成した磁芯被覆体の斜視図である。
【図１０】図１０は、図９の磁芯被覆体に予め巻回したコイルを挿入する工程を示す平面図である。
【図１１】図１１は、図１０により作製されたコイル装置の平面図である。
【図１２】図１２は、隙間部にギャップ用磁芯を挿入したコイル装置の部分断面図である。
【図１３】図１３は、実施例における直流重畳特性を示すグラフである。
【図１４】図１４(ａ)は、背景技術にて説明したコイル装置の平面図、図１４(ｂ)は、隙間部の部分拡大図である。
【発明を実施するための形態】
【００２６】
以下、本発明に係る涙滴状磁芯(10)を用いたコイル装置(20)の一実施例について、図面を参照しながら説明を行なう。
【００２７】
＜第１実施形態＞
第１実施形態は、本発明に係る涙滴状磁芯(10)にコイル(21)を直巻きしたコイル装置(20)について説明する。
図１は、本発明に係る涙滴状磁芯(10)の斜視図である。涙滴状磁芯(10)は、磁性材料から作製される。
【００２８】
涙滴状磁芯(10)を構成する磁性材料として、鉄系、鉄−ケイ素系、鉄−アルミニウム−ケイ素系、鉄−ニッケル系の材料、鉄系やＣｏ系のアモルファス材料などを例示できる。涙滴状磁芯(10)は、これら磁性材料からなる薄板を積層又は巻回した積層磁芯、これら磁性材料からなる粉末を加圧成形してなる圧粉磁芯、または磁性材料からなる粉末を焼結してなるフェライト磁芯とすることができる。これらの製法により作製する涙滴状磁芯(10)は環状であり、隙間部を後加工で形成するので、棒状の磁芯を屈曲させた形状に比して高い寸法精度とすることができる。
【００２９】
涙滴状磁芯(10)は、図１に示すように、一端が略直角に屈曲した曲部(16)により連続する直線状の第１直線部(11)と第２直線部(15)と、該第１直線部(11)と第２直線部(15)の他端どうしを連繋する円弧状の円弧部(17)と、を具える。
【００３０】
より詳細には、図１に示すように、第１直線部(11)と第２直線部(15)は、略同一の長さＬに形成され、第１直線部(11)と第２直線部(15)とを繋ぐ曲部(16)は、円弧角が略９０°、内周面(18)と外周面(19)が夫々内径ｒとＲ(但しｒ＜Ｒ)の同心円弧状に形成される。また、第１直線部(11)と第２直線部(15)の他端どうしを繋ぐ円弧部(17)も円弧角が略２７０°の同心の円弧状に形成され、磁芯(10)は内周面(18)及び外周面(19)が夫々涙滴状となっている。なお、説明を判り易くするために、図１では、第１直線部(11)、曲部(16)、第２直線部(15)、円弧部(17)の各境界を破線で示している。
【００３１】
涙滴状磁芯(10)は、内周面(18)及び外周面(19)に対して垂直に切断したときに、何れの位置においても断面積が略同一となるように形成することが望ましく、図示のように断面矩形とすることが好適である。なお、涙滴状磁芯(10)の断面形状は、矩形に限定されず、円形、楕円形などとしてもよい。
【００３２】
上記のように、涙滴状磁芯(10)の断面積が略同一となるように構成することで、後述するとおりコイル装置(20)を構成したときに、主磁路の面積を略同一とすることができ、安定したインダクタンス特性を得ることができる。
【００３３】
上記涙滴状磁芯(10)は、図示省略するクランプ等の治具に取り付けて、コイル(21)をなす導線(22)が巻き付けられる。治具は、例えば曲部(16)を把持して涙滴状磁芯(10)を固定することができる。このとき、磁芯(10)が涙滴状であって、第１直線部(11)と第２直線部(15)が直線状であるから、治具への位置決めを容易に行なうことができる。
【００３４】
導線(22)は、手作業又は巻線機により涙滴状磁芯(10)に巻回されてコイル(21)をなし、図２に示すようにコイル装置(20)が作製される。
【００３５】
巻線を行なう際に、上記では実質的に手作業に頼らざるを得ず、コイル装置(20)の製造効率に劣る。そこで、図３に示すように、図１の涙滴状磁芯(10)の一部を切断して隙間部(12)を形成し、該隙間部(12)から導線(22)を通しながら巻き付けることで、製造効率を高めることができる。
【００３６】
さらには、図４に示すように、予め導線(22)を巻回したコイル(21)(所謂空芯コイル)を隙間部(12)から通すことで、製造効率を可及的に高めることもできる。
【００３７】
隙間部(12)は、例えば、曲部(16)と第１直線部(11)の境界(図１中破線で示す)から第１直線部(11)側に所望の幅で略垂直に第１直線部(11)を切断することで形成できる。隙間部(12)の前記境界側の端面を第１端面(13)、該第１端面(13)と対向する面を第２端面(14)としたときに、第１端面(13)は、第２直線部(15)の内周面(18)よりも曲部(16)の内周面(18)の曲率半径ｒの分だけ飛び出すように形成されて第２直線部(15)の内周面(18)とは同一平面になく、且つ、第１端面(13)と第２端面(14)は、曲面部分ではなく第１直線部(11)を切断することで同一面積で対向するから、曲面部分に形成した場合に比して磁路の近距離方向へ集中する漏れ磁束を回避することができ、これに起因する渦電流損も低減できる。
【００３８】
また、隙間部(12)は、第１端面(13)及び第２端面(14)の面積が、第１直線部(11)の垂直断面と同一面積であるから、端面(13)(14)間における磁束の漏れも磁路方向に正確な安定したものになる。
【００３９】
涙滴状磁芯(10)を第１直線部(11)で切断しているから、曲面部分で切断する場合に比して、砥石や切断刃の逃げを抑えることができ、隙間部(12)の形成も容易で且つ高精度となる。
【００４０】
隙間部(12)には、図５に示すように、磁性材料からなるギャップ用磁芯(30)を挿入することができる。
ギャップ用磁芯(30)は、鉄系、鉄−ケイ素系、鉄−アルミニウム−ケイ素系、鉄−ニッケル系の材料、鉄系やＣｏ系のアモルファス材料などの磁性材料から作製される。ギャップ用磁芯(30)は、これら磁性材料からなる薄板を積層又は巻回した積層磁芯、これら磁性材料からなる粉末を加圧成形してなる圧粉磁芯、または磁性材料からなる粉末を焼結してなるフェライト磁芯を例示できる。積層磁芯の場合、所望形状に打ち抜いた薄板をかしめたり、端面を溶接することでブロック化することが望ましい。
【００４１】
ギャップ用磁芯(30)を隙間部(12)に挿入することで、隙間部(12)を埋めて所望の磁気特性を得ることができる。特に、ギャップ用磁芯(30)と、隙間部(12)の第１端面(13)及び第２端面(14)との間に、夫々ギャップＧが形成されるようにギャップ用磁芯(30)を挿入することで、ギャップ用磁芯(30)が隙間部(12)内で多少位置ずれしていても、インダクタンス値を維持したままで漏れ磁束の大きさを分散し、分布拡大を抑制することができる。
【００４２】
ギャップ用磁芯(30)を隙間部(12)に挿入することで、隙間部(12)における漏れ磁束の拡大を抑制できるから、ギャップ用磁芯(30)に重なるようにコイル(21)を密に巻回することができるので、渦電流による銅損への影響を抑制しつつ、インダクタンスを増大させることができる。
【００４３】
なお、ギャップ用磁芯(30)は、上記に限定されるものではなく、性能や製造効率は劣るが、極低磁場におけるインダクタンス確保などの所望特性を求め、磁性材料を接着剤と混合したペースト状のもので隙間部(12)を埋めるようにしてもよい。
【００４４】
本発明では、上記のように涙滴状磁芯(10)に第１直線部(11)と第２直線部(15)を設けたことで、同じ直径のトロイダル磁芯に比して磁路長を約５％長くすることができ、また、窓面積も約５％大きくすることができる。これにより、インダクタンス値を約１４％向上させることができる。
【００４５】
＜第２実施形態＞
第２実施形態は、図６及びその断面図である図７に示すように、前記第１実施形態において図１を用いて説明した涙滴状磁芯(10)を電気絶縁性の樹脂(41)により被覆した磁芯被覆体(40)にコイル(21)を巻回したコイル装置(20)について説明する。なお、第１実施形態と共通する部分は適宜説明を省略する。
【００４６】
涙滴状磁芯(10)への樹脂被覆は、インサート成型により行なうことができる。このとき、涙滴状磁芯(10)に第１直線部(11)及び第２直線部(15)が設けられているから、インサート成型機内での位置決めピンを直線部(11)(15)に当てることで、位置決めや固定を容易に行なうことができる。
【００４７】
また、予め樹脂製のケース半体を作製しておき、涙滴状磁芯(10)に一対のケース半体を被せることで、樹脂被覆して、磁芯被覆体(40)を形成することもできる。
【００４８】
上記磁芯被覆体(40)は、図示省略するクランプ等の治具に取り付けて、コイル(21)をなす導線(22)が巻き付けられる。治具は、例えば曲部(16)側を把持して磁芯被覆体(40)を固定することができる。このとき、磁芯被覆体(40)が涙滴状であって、直線部を有するから、治具への位置決めを容易に行なうことができる。
【００４９】
導線(22)は、手作業又は巻線機により磁芯被覆体(40)に巻回されてコイル(21)をなし、図８に示すようにコイル装置(20)が作製される。
【００５０】
また、図７に示すように、図６の磁芯被覆体(40)の一部を切断して隙間部(12)を形成し、該隙間部(12)から導線(22)を通しながら巻き付けることで、コイル装置(20)(図１１参照)の製造効率を高めることができる。
【００５１】
さらには、図１０に示すように、予め導線(22)を巻回したコイル(21)(所謂空芯コイル)を隙間部(12)から通すことでコイル装置(20)(図１１参照)を作製することもでき、これにより、コイル装置(20)の製造効率を可及的に高めることができる。
【００５２】
隙間部(12)は、例えば、涙滴状磁芯(10)の曲部(16)と第１直線部(11)の境界(前述の図１中破線で示す)から第１直線部(11)側に所望の幅で略垂直に第１直線部(11)を切断することで形成できる。隙間部(12)の前記境界側の端面を第１端面(13)、該第１端面(13)と対向する面を第２端面(14)としたときに、第１端面(13)は、第２直線部(15)の内周面(18)よりも曲部(16)の内周面の曲率半径ｒの分だけ飛び出すように形成されて第２直線部(15)の内周面(18)とは同一平面になく、且つ、第１端面(13)と第２端面(14)は、曲面部分ではなく第１直線部(11)を切断することで同一面積で対向するから磁束の漏洩も抑制でき、これに起因する渦電流損を低減することができる。
【００５３】
涙滴状磁芯(10)を樹脂被覆した後切断して隙間部(12)を形成することで、第１直線部(11)、曲部(16)、第２直線部(15)及び円弧部(17)は、隙間部(12)の第１端面(13)及び第２端面(14)を除き、樹脂により被覆されている磁芯被覆体(40)を作製することができる。
【００５４】
また、隙間部(12)は、第１端面(13)及び第２端面(14)の面積が、第１直線部(11)の垂直断面と同一面積であるから、端面(13)(14)間における磁束の漏洩もほとんど生じない。
【００５５】
磁芯被覆体(40)は、直線部で切断しているから、曲面部分で切断する場合に比して、砥石や切断刃の逃げを抑えることができ、隙間部(12)の形成も容易で且つ高精度となる。
【００５６】
上記のように、磁芯被覆体(40)に隙間部(12)を形成する場合、空芯コイル(21)を挿入する際に、隙間部(12)の第１端面(13)と第２直線部(15)の樹脂被覆された内面との段差をなくして、空芯コイル(21)の挿入を容易とするために、図９に示すように、被覆される樹脂(41)の厚さＤは、曲部(16)の内周面の曲率半径ｒ、即ち、第２直線部(15)からの第１端面(13)の飛び出し量と略同一とすることが望ましい。
【００５７】
また、隙間部(12)には、図１２に示すように、磁性材料からなるギャップ用磁芯(30)を挿入することができる。ギャップ用磁芯(30)については、第１実施形態に詳細を示している。
ギャップ用磁芯(30)を隙間部(12)に挿入することで、隙間部(12)を埋めて所望の磁気特性を得ることができる。特に、ギャップ用磁芯(30)と、隙間部(12)の第１端面(13)及び第２端面(14)との間に、夫々ギャップＧが形成されるようにギャップ用磁芯(30)を挿入することで、ギャップ用磁芯(30)が隙間部(12)内で多少位置ずれしていても、インダクタンス値を維持したままで漏れ磁束の大きさを分散し分布拡大を抑制することができる。
【００５８】
また、ギャップ用磁芯(30)を隙間部(12)に挿入することで、隙間部(12)における漏れ磁束の拡大を抑制できるから、ギャップ用磁芯(30)に重なるようにコイル(21)を密に巻回することができるので、渦電流による銅損の影響を抑制しつつ、インダクタンスを増大させることができる。
【００５９】
なお、ギャップ用磁芯(30)は、上記に限定されるものではなく、性能や製造効率は劣るが、磁性材料を接着剤と混合したペースト状のもので隙間部(12)を埋めるようにしてもよい。
【００６０】
本発明では、上記のように涙滴状磁芯(10)に第１直線部(11)と第２直線部(15)を設けたことで、磁芯被覆体(40)は、同じ直径のトロイダル磁芯に比して磁路長を約５％長くすることができ、また、窓面積も約５％大きくすることができる。これにより、インダクタンス値を約１４％向上させることができる。
【００６１】
上記第１実施形態及び第２実施形態では、第１直線部(11)に隙間部(12)を形成しているが、第２直線部(15)に隙間部を形成してもよいことは勿論である。
【実施例】
【００６２】
上記した第２実施形態のコイル装置(20)(発明例１乃至発明例３)について、直流重畳特性の比較を行なった。
涙滴状磁芯(10)は、第１直線部(11)及び第２直線部(15)の長さＬが７．１ｍｍ、厚さ、即ち内周面(18)と外周面(19)と差は４．７５ｍｍ、曲部(16)の内周面(18)の曲率半径ｒが１．２ｍｍ、外周面(19)の曲率半径Ｒが６ｍｍ、高さ１５ｍｍ、円弧部(17)の直径が２３．７ｍｍに形成した。また、涙滴状磁芯(10)は、方向性ケイ素鋼板を用いて、涙滴状に巻き取り巻終わり部を溶接固定したものである。
【００６３】
上記涙滴状磁芯(10)を厚さ１．２ｍｍの絶縁性樹脂(41)により被覆し、幅２ｍｍの隙間部(12)を形成した。発明例２及び発明例３については、該隙間部(12)に以下に示すギャップ用磁芯(30)を充填又は挿入した。
【００６４】
発明例１は、隙間部(12)の埋め戻しを行なっていない実施例である。
発明例２は、隙間部(12)にセンダスト粉(Ｆｅ−Ａｌ−Ｓｉ組成)を用いた磁性材料粉と１液性エポキシ系接着剤を重量比８０：２０で混合した高粘度ペースト状の接着剤により埋め戻している。
発明例３は、無方向性ケイ素鋼板０．２ｍｍ厚を使用し、打ち抜き積層し端面部を溶接にて固定しブロック化した、幅１ｍｍのギャップ用磁芯(30)を隙間部(12)に挿入した実施例であり、ギャップ用磁芯(30)と第１端面(13)、第２端面(14)との間に夫々０．５ｍｍのギャップＧを設けた実施例である。
【００６５】
上記発明例１乃至発明例３について、直流バイアス電流を印加し、直流重畳特性を比較した。結果を図１３に示す。
【００６６】
図１３を参照すると、発明例１は、インダクタンス値は発明例３に比して低いが、安定した磁気飽和特性を有することがわかる。
【００６７】
また、発明例２は、発明例１及び発明例３に比して、初期インダクタンス値を高くすることができる。一方で、直流バイアス電流が大きくなるにつれて、インダクタンス値のドロップ率が高いことがわかる。
【００６８】
発明例３は、発明例１よりも磁気飽和特性にすぐれ、隙間部(12)に無方向性ケイ素鋼板を積層してブロック化したギャップ用磁芯(30)を挿入したことで、積極的に微小な空隙を設けることができ、磁芯の仕上がり寸法精度に頼ることなく磁気特性を安定させることができたことがわかる。このため、隙間部(12)をギャップ用磁芯(30)の寸法で調整することができ、容易に低コストで所望の磁気特性を確保することができる。
また、ギャップ用磁芯(30)を挿入したことで、インダクタンス値を向上させることができ、さらには、直線部分に形成された第１端面(13)と第２端面(14)により、磁路の近距離方向へ集中する漏れ磁束を回避でき、効率的にインダクタンスを向上させることができる。
【００６９】
なお、発明例３について、隙間部(12)に挿入するギャップ用磁芯(30)は、主磁束が通過する方向に対して直角になる両側面にほぼ同一幅のギャップＧを２カ所形成している。このギャップＧについて、ギャップ用磁芯(30)の位置が中央から僅かに位置ずれしたコイル装置(20)を作製して、上記と同様に直流重畳特性を測定したところ、インダクタンス値を維持したまま、漏れ磁束のバラツキを抑制できた。従って、発明例３のコイル装置(20)は、組立時にギャップ用磁芯(30)の取付精度の誤差を許容できる実用度の高いコイル装置であることがわかる。
【産業上の利用可能性】
【００７０】
本発明は、製造効率にすぐれ、初期のインダクタンスが大きく、安定した直流重畳特性を有する涙滴状磁芯及びこれを用いたコイル装置として有用である。
【符号の説明】
【００７１】
(10)  涙滴状磁芯
(11)  第１直線部
(12)  隙間部
(13)  第１端面
(14)  第２端面
(15)  第２直線部
(16)  曲部
(17)  円弧部
(20)  コイル装置
(30)  ギャップ用磁芯
(40)  磁芯被覆体
【図１】
0005509267.tif 000002
【図２】
0005509267.tif 000003
【図３】
0005509267.tif 000004
【図４】
0005509267.tif 000005
【図５】
0005509267.tif 000006
【図６】
0005509267.tif 000007
【図７】
0005509267.tif 000008
【図８】
0005509267.tif 000009
【図９】
0005509267.tif 000010
【図１０】
0005509267.tif 000011
【図１１】
0005509267.tif 000012
【図１２】
0005509267.tif 000013
【図１３】
0005509267.tif 000014
【図１４】
0005509267.tif 000015